(57)【特許請求の範囲】
【請求項１】
放送信号を受信する受信部と、
前記放送信号の多重化信号から、少なくともメッセージの表示に関する情報を含む管理情報を分離する多重分離部と、
前記多重分離部により分離された前記管理情報と、所定の番組の記録時の記録多重化信号とを記録するための記憶部と、
チャンネル情報に関連付けて、前記記録多重化信号とは独立して前記管理情報を前記記憶部に記録するとともに、記録された前記管理情報に基づいて、記録された前記所定の番組の再生時にメッセージを表示する制御を行う制御部と、を備え、
前記多重分離部は、常時、連続して上書きして録画が行われている記録チャンネルの前記多重化信号から、少なくとも前記管理情報を分離するように構成されており、
前記制御部は、前記記録チャンネルの前記管理情報を、前記記録チャンネルの前記チャンネル情報に関連付けて前記記憶部に記録するとともに、記録された前記管理情報に基づいて、前記記録チャンネルの前記所定の番組の再生時にメッセージを表示する制御を行うように構成されている、デジタルテレビ放送録画装置。
【請求項２】
前記制御部は、前記多重分離部により分離された前記管理情報から、メッセージ情報を取得し、取得された前記メッセージ情報を前記チャンネル情報に関連付けて前記記憶部に記録する制御を行うように構成されている、請求項１に記載のデジタルテレビ放送録画装置。
【請求項３】
前記メッセージ情報は、複数の定型文を含み、
前記制御部は、前記メッセージ情報に含まれる定型文が更新された場合には、前記複数の定型文のうち更新された前記定型文毎に前記メッセージ情報を更新する制御を行うように構成されている、請求項２に記載のデジタルテレビ放送録画装置。
【請求項４】
前記多重分離部は、前記多重化信号から、前記管理情報に加えて、さらにアクセス制御情報を分離するように構成されており、
前記制御部は、前記多重分離部により分離された前記アクセス制御情報から、前記管理情報に基づくメッセージを表示させるための表示情報を取得し、取得された前記表示情報を、前記記憶部に記録する制御を行うように構成されている、請求項１〜３のいずれか１項に記載のデジタルテレビ放送録画装置。
【請求項５】
前記制御部は、取得された前記表示情報を、前記記録多重化信号の補足情報に含めて前記記憶部に記録する制御を行うように構成されている、請求項４に記載のデジタルテレビ放送録画装置。
【請求項６】
放送信号を受信部により受信するステップと、
常時、連続して上書きして録画が行われている記録チャンネルの前記放送信号の多重化信号から、少なくともメッセージの表示に関する情報を含む管理情報を多重分離部により分離するステップと、
前記多重分離部により分離された前記管理情報と、所定の番組の記録時の記録多重化信号とを記憶部に記録するステップと、
前記記録チャンネルの前記管理情報を、前記記録チャンネルのチャンネル情報に関連付けて、前記記録多重化信号とは独立して前記管理情報を前記記憶部に記録するステップと、
記録された前記管理情報に基づいて、記録された前記記録チャンネルの前記所定の番組の再生時にメッセージを表示する制御を制御部により行うステップと、を備える、デジタルテレビ放送録画方法。
【発明の詳細な説明】
【技術分野】
【０００１】
この発明は、デジタルテレビ放送録画装置およびデジタルテレビ放送録画方法に関し、特に、記録された所定の番組の再生時にメッセージを表示するデジタルテレビ放送録画装置およびデジタルテレビ放送録画方法に関する。
【背景技術】
【０００２】
従来、記録された所定の番組の再生時にメッセージを表示するデジタルテレビ放送録画装置が知られている（たとえば、特許文献１参照）。
【０００３】
上記特許文献１には、所定の番組を録画（記録）する場合に、所定の番組に対応する放送信号のトランスポートストリームを蓄積する蓄積部を備え、蓄積部に蓄積されたトランスポートストリーム（記録トランスポートストリーム）に基づいて、所定の番組を再生するとともに、所定の番組の再生時に自動表示メッセージを表示する制御を行うデジタルテレビ放送録画装置が開示されている。このデジタルテレビ放送録画装置は、放送信号のトランスポートストリームに含まれ、自動表示メッセージに関するエンタイトルメントマネジメントメッセージ情報（ＥＭＭ情報）を記録トランスポートストリームの一部として記録するように構成されている。また、このデジタルテレビ放送録画装置は、所定の番組の再生時には、記録トランスポートストリームの一部として記録されたＥＭＭ情報に基づいて、自動表示メッセージを表示するように構成されている。
【先行技術文献】
【特許文献】
【０００４】
【特許文献１】特開２０１１−１９３１０３号公報
【発明の概要】
【発明が解決しようとする課題】
【０００５】
しかしながら、上記特許文献１に記載のデジタルテレビ放送録画装置であっても、たとえば、動画を圧縮した状態で記録するＡＶＣ録画（Ａｄｖａｎｃｅｄ  Ｖｉｄｅｏ  Ｃｏｄｉｎｇ録画）などの番組の記録方式（録画方式）により記録トランスポートストリームを構築する場合には、ＥＭＭ情報を記録トランスポートストリームの一部として記録することができないと考えられる。このため、上記特許文献１のデジタルテレビ放送録画装置において、ＥＭＭ情報（管理情報）を記録トランスポートストリーム（記録多重化信号）の一部として記録することができず、所定の番組の再生時に自動表示メッセージを表示させることができない場合があるという問題点があると考えられる。
【０００６】
この発明は、上記のような課題を解決するためになされたものであり、この発明の１つの目的は、管理情報を記録多重化信号の一部として記録することができない場合にも、記録された所定の番組の再生時にメッセージを表示させることが可能なデジタルテレビ放送録画装置およびデジタルテレビ放送録画方法を提供することである。
【課題を解決するための手段】
【０００７】
この発明の第１の局面によるデジタルテレビ放送録画装置は、放送信号を受信する受信部と、放送信号の多重化信号から、少なくともメッセージの表示に関する情報を含む管理情報を分離する多重分離部と、多重分離部により分離された管理情報と、所定の番組の記録時の記録多重化信号とを記録するための記憶部と、チャンネル情報に関連付けて、記録多重化信号とは独立して管理情報を記憶部に記録するとともに、記録された管理情報に基づいて、記録された所定の番組の再生時にメッセージを表示する制御を行う制御部と、を備え、多重分離部は、常時、連続して上書きして録画が行われている記録チャンネルの多重化信号から、少なくとも管理情報を分離するように構成されており、制御部は、記録チャンネルの管理情報を、記録チャンネルのチャンネル情報に関連付けて記憶部に記録するとともに、記録された管理情報に基づいて、記録チャンネルの所定の番組の再生時にメッセージを表示する制御を行うように構成されている。
【０００８】
この発明の第１の局面によるデジタルテレビ放送録画装置では、上記のように、チャンネル情報に関連付けて、記録多重化信号とは独立して管理情報を記憶部に記録するとともに、記録された管理情報に基づいて、記録された所定の番組の再生時にメッセージを表示する制御を行う制御部と、常時、連続して上書きして録画が行われている記録チャンネルの多重化信号から、少なくとも管理情報を分離する多重分離部とを設け、制御部は、記録チャンネルの管理情報を、記録チャンネルのチャンネル情報に関連付けて記憶部に記録するとともに、記録された管理情報に基づいて、記録チャンネルの所定の番組の再生時にメッセージを表示する制御を行うように構成されている。これにより、管理情報を記録多重化信号とは独立して記録したとしても、関連付けしたチャンネル情報を参照して管理情報を取得することができるので、記録された所定の番組の再生時に管理情報に基づくメッセージ（自動表示メッセージを含むメッセージ）を表示させることができる。その結果、管理情報を記録多重化信号の一部として記録することができない場合にも、記録された所定の番組の再生時にメッセージ（自動表示メッセージを含むメッセージ）を表示させることができる。また、チャンネル情報に関連付けて管理情報を記録することによって、管理情報を記録多重化信号の一部として番組と関連付けて記録する場合と異なり、再生中の所定の番組が記録された時点よりも後の時点において所定の番組のチャンネル情報の管理情報を取得することができる。その結果、再生中の所定の番組が記録された時点よりも後の時点において取得された管理情報に基づいて、メッセージを表示することができるので、現状に合わないメッセージが表示されるのを抑制することができる。また、常時、連続して上書きして録画が行われている記録チャンネルにおいて、記録された所定の番組の再生時に確実にメッセージを表示させることができる。
【０００９】
上記第１の局面によるデジタルテレビ放送録画装置において、好ましくは、制御部は、多重分離部により分離された管理情報から、メッセージ情報を取得し、取得されたメッセージ情報をチャンネル情報に関連付けて記憶部に記録する制御を行うように構成されている。このように構成すれば、管理情報に含まれる情報のうちメッセージの表示に必要なメッセージ情報を記録するだけでよいので、管理情報に含まれる情報のうちメッセージの表示に不要な情報を記録する必要がない。その結果、記憶部の容量を節約することができる。
【００１０】
この場合、好ましくは、メッセージ情報は、複数の定型文を含み、制御部は、メッセージ情報に含まれる定型文が更新された場合には、複数の定型文のうち更新された定型文毎にメッセージ情報を更新する制御を行うように構成されている。このように構成すれば、複数の定型文の全てを一括して更新する場合と比べて、複数の定型文のうち更新された定型文毎にメッセージ情報を更新するだけでよいので、制御部の処理負荷を軽減することができる。
【００１２】
上記第１の局面によるデジタルテレビ放送録画装置において、好ましくは、多重分離部は、多重化信号から、管理情報に加えて、さらにアクセス制御情報を分離するように構成されており、制御部は、多重分離部により分離されたアクセス制御情報から、管理情報に基づくメッセージを表示させるための表示情報を取得し、取得された表示情報を、記憶部に記録する制御を行うように構成されている。このように構成すれば、記憶部に管理情報と管理情報に基づくメッセージを表示させるための表示情報とを記録することができる。その結果、記憶部に記憶された表示情報と管理情報とを用いて、記録された所定の番組の再生時に、容易に、管理情報に基づくメッセージを表示させることができる。
【００１３】
この場合、好ましくは、制御部は、取得された表示情報を、記録多重化信号の補足情報に含めて記憶部に記録する制御を行うように構成されている。このように構成すれば、記載可能な情報の自由度が比較的高い補足情報に含めて表示情報を容易に記録することができる。
【００１４】
この発明の第２の局面によるデジタルテレビ放送録画方法は、放送信号を受信部により受信するステップと、常時、連続して上書きして録画が行われている記録チャンネルの放送信号の多重化信号から、少なくともメッセージの表示に関する情報を含む管理情報を多重分離部により分離するステップと、多重分離部により分離された管理情報と、所定の番組の記録時の記録多重化信号とを記憶部に記録するステップと、記録チャンネルの管理情報を記録チャンネルのチャンネル情報に関連付けて、記録多重化信号とは独立して管理情報を記憶部に記録するステップと、記録された管理情報に基づいて、記録された記録チャンネルの所定の番組の再生時にメッセージを表示する制御を制御部により行うステップと、を備える。
【００１５】
この発明の第２の局面によるデジタルテレビ放送録画方法では、上記のように、記録チャンネルの管理情報をチャンネル情報に関連付けて、記録多重化信号とは独立して管理情報を記憶部に記録するステップと、記録された管理情報に基づいて、記録された記録チャンネルの所定の番組の再生時にメッセージを表示する制御を制御部により行うステップとを行う。これにより、第２の局面によるデジタルテレビ放送録画方法においても、管理情報を記録多重化信号の一部として記録することができない場合にも、記録された所定の番組の再生時にメッセージを表示させることができる。
【発明の効果】
【００１６】
本発明によれば、上記のように、管理情報を記録多重化信号の一部として記録することができない場合にも、記録された所定の番組の再生時にメッセージを表示させることが可能なデジタルテレビ放送録画装置およびデジタルテレビ放送録画方法を提供することができる。
【図面の簡単な説明】
【００１７】
【図１】本発明の第１および第３実施形態によるデジタルテレビ放送録画装置の全体構成を示すブロック図である。
【図２】本発明の第１実施形態によるデジタルテレビ放送録画装置における放送信号ＴＳから分離された各情報の記録を説明するための図である。
【図３】本発明の第１実施形態によるデジタルテレビ放送録画装置のチャンネル毎に記録されたＥＭＭ共通メッセージ情報を説明するための図である。
【図４】本発明の第１実施形態によるデジタルテレビ放送録画装置のＥＭＭ共通メッセージの更新の一例を説明するための図である。
【図５】本発明の第１実施形態によるデジタルテレビ放送録画装置の受信するＥＭＭ共通メッセージ情報を説明するための図である。
【図６】本発明の第１実施形態によるデジタルテレビ放送録画装置の所定の番組の記録時のＥＭＭ情報記録処理を説明するためのフローチャートである。
【図７】本発明の第１実施形態によるデジタルテレビ放送録画装置の所定の番組の再生時の自動表示メッセージ表示処理を説明するためのフローチャートである。
【図８】本発明の第２実施形態による一のデジタルテレビ放送録画装置と他のデジタルテレビ放送録画装置とがネットワークを介して接続された状態を示すブロック図である。
【図９】本発明の第３実施形態によるデジタルテレビ放送録画装置において常時行われているＥＭＭ情報記録処理を説明するためのフローチャートである。
【図１０】本発明の第３実施形態によるデジタルテレビ放送録画装置の所定の番組の記録時のＣＡＴ情報記録処理を説明するためのフローチャートである。
【発明を実施するための形態】
【００１８】
以下、本発明を具体化した実施形態を図面に基づいて説明する。
【００１９】
（第１実施形態）
まず、図１を参照して、本発明の第１実施形態によるデジタルテレビ放送録画装置１００（以下、録画装置１００という）の構成について説明する。
【００２０】
本発明の第１実施形態による録画装置１００は、デジタルテレビ放送信号を受信し、放送番組の放送、放送番組の録画および録画された放送番組の再生などを行うことが可能なデジタルテレビ放送受信機である。
【００２１】
この録画装置１００は、図１に示すように、受信部１１と、復調部１２と、多重分離部１３と、音声デコーダ部１４と、映像デコーダ部１５と、画像合成部１６とを備えている。また、録画装置１００は、再構築部１７と、録画用記憶部１８と、ＲＯＭ１９と、ＲＡＭ２０と、制御部２１とを備えている。なお、録画用記憶部１８およびＲＡＭ２０は、共に、本発明の「記憶部」の一例である。
【００２２】
受信部１１は、複数のチューナを含み、放送局により配信される多重化されたデジタルテレビ放送信号を有線または無線で受信するように構成されている。詳細には、受信部１１は、制御部２１の制御に基づいて、選局された放送局に割り当てられた周波数帯（チャンネル）のデジタルテレビ放送信号を受信するように構成されている。なお、デジタルテレビ放送信号は、本発明の「放送信号」の一例である。
【００２３】
復調部１２は、受信部１１により受信されたデジタルテレビ放送信号を復調して、多重分離部１３に出力するように構成されている。
【００２４】
多重分離部１３は、入力されたデジタルテレビ放送信号をデスクランブルして、デジタルテレビ放送信号のトランスポートストリーム（Ｔｒａｎｓｐｏｒｔ  Ｓｔｒｅａｍ）（以下、放送信号ＴＳという）から、放送信号ＴＳに含まれる各情報を個別の情報に分離するように構成されている。なお、トランスポートストリームとは、ＭＰＥＧ−２のデータを送受信するためのデータ形式の１つであり、映像や音声などの様々な形式の情報をまとめて１つの流れとして扱うことができるものである。また、放送信号ＴＳは、本発明の「放送信号の多重化信号」の一例である。
【００２５】
ここで、図２を参照して、放送信号ＴＳについて説明する。放送信号ＴＳは、各々パケットＩＤ（ＰＩＤ）が割り当てられた、複数のパケットデータ（情報）により構成されている。具体的には、放送信号ＴＳは、図２に示すように、プログラムアソシエイションテーブル情報（以下、ＰＡＴ情報という）と、コンディショナルアクセステーブル情報（以下、ＣＡＴ情報という）と、プログラムマップテーブル情報（以下、ＰＭＴ情報という）と、映像情報と、音声情報と、字幕情報と、データ放送情報と、エンタイトルメントマネジメントメッセージ情報（以下、ＥＭＭ情報という）とを含んでいる。第１実施形態では、ＰＡＴ情報、ＣＡＴ情報、ＰＭＴ情報、映像情報、音声情報、字幕情報、データ放送情報およびＥＭＭ情報には、それぞれ、「０ｘ００」、「０ｘ０１」、「０ｘ１０１」、「０ｘ１０２」、「０ｘ１０３」、「０ｘ１０４」、「０ｘ１０５」および「０ｘ９００」がＰＩＤとして割り当てられている。なお、放送信号ＴＳは、図示したパケットデータ以外にも様々なパケットデータを含んでいるが、これらについては図示を省略している。なお、ＣＡＴ情報は、本発明の「アクセス制御情報」の一例である。また、ＥＭＭ情報は、本発明の「管理情報」の一例である。
【００２６】
ＰＡＴ（Ｐｒｏｇｒａｍ  Ａｓｓｏｃｉａｔｉｏｎ  Ｔａｂｌｅ）情報は、放送信号ＴＳに含まれるＰＭＴ情報に割り当てられたＰＩＤを特定するための情報を含んでいる。ＰＭＴ（Ｐｒｏｇｒａｍ  Ｍａｐ  Ｔａｂｌｅ）情報は、放送番組を構成する映像情報および音声情報などに割り当てられたＰＩＤを特定するための情報を含んでいる。映像情報、音声情報、字幕情報およびデータ放送情報は、それぞれ、放送番組の映像、音声、字幕、データ放送に関する情報を含んでいる。
【００２７】
ＣＡＴ（Ｃｏｎｄｉｔｉｏｎａｌ  Ａｃｃｅｓｓ  Ｔａｂｌｅ）情報は、ＥＭＭ情報に割り当てられたＰＩＤを特定するための情報を含んでいる。詳細には、ＣＡＴは、ＥＭＭ情報のＰＩＤを特定するためのＣＡ＿Ｄｅｓｃｒｉｐｔｏｒと、ＥＭＭ情報に基づく自動表示メッセージを表示させるため、後述するＩＣカード１０３に自動表示メッセージに関する問い合わせを行うためのＣＡ＿Ｓｅｒｖｉｃｅ＿Ｄｅｓｃｒｉｐｔｏｒとを少なくとも含んでいる。なお、ＣＡ＿Ｓｅｒｖｉｃｅ＿Ｄｅｓｃｒｉｐｔｏｒは、本発明の「表示情報」の一例である。また、自動表示メッセージは、本発明の「メッセージ」の一例である。
【００２８】
ここで、ＩＣカード１０３は、Ｂ−ＣＡＳカードなどのＩＣカードであり、録画装置１００の図示しない読取部に配置されている。ＩＣカード１０３には、多重分離部１３によるデスクランブルの際用いられるマスタ鍵の情報や、録画装置１００の保有者に関する情報を含むＥＭＭ個別メッセージ情報が記録されている。前述の自動表示メッセージは、このＥＭＭ個別メッセージ情報と後述するＥＭＭ共通メッセージ情報ＤＥＭＭとを組み合わせることによって、生成することが可能である。なお、ＥＭＭ共通メッセージ情報ＤＥＭＭは、本発明の「メッセージ情報」の一例である。
【００２９】
ＥＭＭ（Ｅｎｔｉｔｌｅｍｅｎｔ  Ｍａｎａｇｅｍｅｎｔ  Ｍｅｓｓａｇｅ）情報は、録画装置１００の保有者毎の契約情報と、自動表示メッセージに関する情報とを少なくとも含んでいる。詳細には、ＥＭＭ情報は、自動表示メッセージに関する情報として、ＥＭＭ共通メッセージ情報ＤＥＭＭを含んでいる。ＥＭＭ共通メッセージ情報ＤＥＭＭは、全ての受信機に送信される共通のメッセージ（定型文）の情報を含んでいる。以上のように、放送信号ＴＳは、各種の情報が多重化された状態で配信される。
【００３０】
また、図１に示すように、多重分離部１３は、放送番組のリアルタイムの視聴時（放送番組の放送時）には、放送信号ＴＳから分離された各情報のうち音声情報を音声デコーダ部１４に出力し、放送信号ＴＳから分離された各情報のうち映像情報を映像デコーダ部１５に出力するように構成されている。
【００３１】
音声デコーダ部１４は、入力された音声情報をデコード（復号）して、スピーカ１０１に出力するように構成されている。これにより、放送番組の音声情報に基づいて音声がスピーカ１０１から出力される。
【００３２】
映像デコーダ部１５は、入力された映像情報をデコード（復号）して、画像合成部１６を介してモニタ１０２に出力するように構成されている。これにより、放送番組の映像情報に基づいて映像がモニタ１０２に出力（表示）される。この際、モニタ１０２に出力される映像とスピーカ１０１から出力される音声とは、互いに同期して出力される。
【００３３】
画像合成部１６は、制御部２１の制御に基づいて、映像情報に基づく映像に合成される画像（画質設定画面や、電子番組表、自動表示メッセージなどの画像）を生成し、生成された画像を映像に合成するように構成されている。また、画像合成部１６は、映像情報に基づく映像に合成される画像を合成した状態で、映像情報をモニタ１０２に出力するように構成されている。これにより、たとえば、自動表示メッセージが合成された映像がモニタ１０２に表示される。このような自動表示メッセージとしては、たとえば、録画装置１００の保有者の契約状態に関するメッセージがモニタ１０２に表示される。
【００３４】
また、多重分離部１３は、所定の番組（所定の放送番組）の記録（録画）時には、放送信号ＴＳから分離された各情報を制御部２１を介して再構築部１７に出力するように構成されている。
【００３５】
再構築部１７は、放送信号ＴＳから分離された各情報のうち記録された所定の番組の再生に必要な情報を、記録トランスポートストリーム（以下、記録ＴＳという）として再構築するように構成されている。第１実施形態では、図２に示すように、記録ＴＳは、記録された所定の番組の再生に必要な情報として、ＰＡＴ情報と、セレクションインフォメーションテーブル情報（ＳＩＴ情報）と、ＰＭＴ情報と、映像情報と、音声情報とを含んでいる。なお、記録ＴＳは、図示した情報以外にも、様々な情報を含んでいるがこれらについては図示を省略している。また、ＰＡＴ情報、ＰＭＴ情報、映像情報および音声情報は、放送信号ＴＳに含まれる情報と略同一であるので、説明を省略する。ＳＩＴ（Ｓｅｌｅｃｔｉｏｎ  Ｉｎｆｏｍａｔｉｏｎ  Ｔａｂｌｅ）情報は、パーシャルトランスポートストリームで伝送される放送番組に関する情報の指示のための情報、および、ＰＭＴ情報に含まれない補足的な情報を含んでいる。また、再構築部１７は、再構築された記録ＴＳを録画用記憶部１８に出力するように構成されている。なお、図２に示すように、再構築された記録ＴＳには、ＥＭＭ情報は、含まれていない。また、記録ＴＳは、本発明の「記録多重化信号」の一例である。また、ＳＩＴ情報は、本発明の「補足情報」の一例である。
【００３６】
図１に示すように、録画用記憶部１８は、ハードディスクなどの記憶媒体を含み、記録ＴＳを記録するように構成されている。録画用記憶部１８の記憶媒体は、内蔵または外付けとすることが可能である。
【００３７】
また、多重分離部１３は、記録された所定の番組の再生時には、録画用記憶部１８に記録された記録ＴＳが入力されるとともに、入力された記録ＴＳを再び各情報に分離するように構成されている。また、多重分離部１３は、記録ＴＳから分離された各情報のうち音声情報を音声デコーダ部１４に出力し、放送信号ＴＳから分離された各情報のうち映像情報を映像デコーダ部１５に出力するように構成されている。これにより、記録された所定の番組の音声および映像がそれぞれスピーカ１０１およびモニタ１０２により再生される。なお、記録された所定の番組の再生は、たとえば、録画装置１００の保有者による図示しないリモコンの操作に基づいて実行することが可能である。
【００３８】
この記録された所定の番組の再生時にも、合成される画像がある場合には、画像合成部１６は、所定の番組の映像情報に基づく映像に合成される画像を生成し、生成された画像を所定の番組の映像に合成するように構成されている。第１実施形態では、表示すべき自動表示メッセージがある場合には、画像合成部１６は、所定の番組の映像情報に基づく映像に自動表示メッセージを合成した状態で、映像情報をモニタ１０２に出力するように構成されている。この記録された所定の番組の再生時の自動表示メッセージの表示の詳細については、後述する。
【００３９】
ＲＯＭ１９は、書き換え可能なフラッシュＲＯＭを含む不揮発性のメモリである。ＲＯＭ１９は、制御部２１により実行される各種のプログラムが格納されるように構成されている。詳細には、ＲＯＭ１９は、後述するＥＭＭ情報記録処理および自動表示メッセージ表示処理（図６および図７参照）のためのプログラムなどが格納されるように構成されている。
【００４０】
ＲＡＭ２０は、揮発性のメモリである。また、ＲＡＭ２０は、ＲＯＭ１９に格納されたプログラムが制御部２１により実行される際に、作業領域として利用されるように構成されている。また、ＲＡＭ２０は、ＥＭＭ情報記録処理および自動表示メッセージ表示処理のためのプログラムが制御部２１により実行される際などに作業領域として利用されるように構成されている。
【００４１】
制御部２１は、ＣＰＵを含み、録画装置１００の各構成要素を制御するように構成されている。
【００４２】
ここで、第１実施形態では、制御部２１は、図２に示すように、録画用記憶部１８に記録された記録ＴＳとは独立して、ＥＭＭ情報をＲＡＭ２０に記録するとともに、ＲＡＭ２０に記録されたＥＭＭ情報に基づいて、録画用記憶部１８に記録された所定の番組の再生時に自動表示メッセージを表示する制御を行うように構成されている。以下、この自動表示メッセージの表示に係る制御部２１の構成について詳細に説明する。
【００４３】
まず、ＥＭＭ情報をＲＡＭ２０に記録する際、制御部２１は、ＥＭＭ情報をチャンネル情報に関連付けて、チャンネル毎にＲＡＭ２０に記録する制御を行うように構成されている。詳細には、制御部２１は、ＥＭＭ情報からＥＭＭ共通メッセージ情報ＤＥＭＭを取得し、取得されたＥＭＭ共通メッセージ情報ＤＥＭＭをチャンネル情報に関連付けて、チャンネル毎にＲＡＭ２０に記録する制御を行うように構成されている。第１実施形態では、制御部２１による制御の結果、図１および図３に示すように、第１チャンネル〜第ＮチャンネルまでのＮ個のチャンネルにおいて、チャンネル情報に関連付けて、チャンネル毎にＥＭＭ共通メッセージ情報ＤＥＭＭ１、ＥＭＭ共通メッセージ情報ＤＥＭＭ２・・・ＥＭＭ共通メッセージ情報ＤＥＭＭＮがＲＡＭ２０に記録されている。
【００４４】
また、第１実施形態では、制御部２１は、常時、連続して上書きして録画を行うループ録画が行われているチャンネル（以下、記録チャンネルという）のＥＭＭ共通メッセージ情報ＤＥＭＭを、記録チャンネルのチャンネル情報に関連付けてチャンネル毎にＲＡＭ２０に記録するように構成されている。つまり、第１実施形態では、第１チャンネル〜第ＮチャンネルまでのＮ個のチャンネルは、録画装置１００において、ループ録画が行われている記録チャンネルである。このようにして、制御部２１は、ＥＭＭ共通メッセージ情報ＤＥＭＭをＲＡＭ２０に記録する制御を行う。
【００４５】
また、図２に示すように、制御部２１は、ＣＡＴ情報から、記録された所定の番組の再生時にＥＭＭ情報に基づく自動表示メッセージを表示させるための表示情報としてＣＡ＿Ｓｅｒｖｉｃｅ＿Ｄｅｓｃｒｉｐｔｏｒを取得し、取得されたＣＡ＿Ｓｅｒｖｉｃｅ＿Ｄｅｓｃｒｉｐｔｏｒを、記録ＴＳのＳＩＴ情報に含めて録画用記憶部１８に記録する制御を行うように構成されている。
【００４６】
また、制御部２１は、記録チャンネル（第１チャンネル〜第ＮチャンネルまでのＮ個のチャンネル）において、所定の番組の記録中に（ループ録画中）に、ＥＭＭ共通メッセージ情報ＤＥＭＭをＲＡＭ２０に記録する制御と、ＣＡ＿Ｓｅｒｖｉｃｅ＿Ｄｅｓｃｒｉｐｔｏｒ（表示情報）を記録ＴＳのＳＩＴ情報に含めて録画用記憶部１８に記録する制御とを常時継続して行うように構成されている。また、制御部２１は、図４に示すように、ループ録画により記録された所定の番組の再生中にも、ループ録画による所定の番組の記録を継続して行うように構成されている。これにより、ＥＭＭ共通メッセージ情報ＤＥＭＭと、ＣＡ＿Ｓｅｒｖｉｃｅ＿Ｄｅｓｃｒｉｐｔｏｒ（表示情報）とが、常に最新の情報に更新される。そして、制御部２１は、最新のＥＭＭ共通メッセージ情報ＤＥＭＭに基づいて、録画用記憶部１８に記録された所定の番組の再生時に自動表示メッセージを表示する制御を行う。その結果、最新のＥＭＭ共通メッセージ情報ＤＥＭＭに基づく自動表示メッセージを表示させることが可能である。
【００４７】
また、制御部２１は、ＥＭＭ共通メッセージ情報ＤＥＭＭに含まれる共通メッセージが更新された場合には、ＥＭＭ共通メッセージ情報ＤＥＭＭに含まれる複数の共通メッセージのうち更新された共通メッセージ毎にＥＭＭ共通メッセージ情報ＤＥＭＭを更新する制御を行うように構成されている。具体的には、図３および図５に示すように、ＥＭＭ共通メッセージ情報ＤＥＭＭは、複数の共通メッセージを含んでいる。複数の共通メッセージには、それぞれ、０ｘ０００１〜０ｘＦＦＦＦまでのＭｅｓｓａｇｅ＿ＩＤ（メッセージ定型文番号）が割り当てられている。また、複数の共通メッセージは、Ｍｅｓｓａｇｅ＿ＩＤ毎に個別のメッセージを有している。なお、このＭｅｓｓａｇｅ＿ＩＤは、図５のｔａｂｌｅ＿ｉｄ＿ｅｘｔｅｎｓｉｏｎに対応する。また、図５に示すように、ＥＭＭ共通メッセージ情報ＤＥＭＭは、Ｍｅｓｓａｇｅ＿ＩＤ毎に、ｖｅｒｓｉｏｎ＿ｎｕｍｂｅｒを有している。つまり、制御部２１は、ｖｅｒｓｉｏｎ＿ｎｕｍｂｅｒが更新された場合に、対応するＭｅｓｓａｇｅ＿ＩＤの共通メッセージが更新されたと判断して、複数の共通メッセージのうち更新された共通メッセージ毎にＥＭＭ共通メッセージ情報ＤＥＭＭを更新する制御を行うように構成されている。なお、ＥＭＭ共通メッセージ情報ＤＥＭＭは、図５に示すように、その他にも共通メッセージの表示内容や表示方法など様々な情報を含んでいるが、詳細は「標準規格ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ）  ＳＴＤ−Ｂ２５」に記載されているので、本明細書での説明は省略する。なお、共通メッセージは、本発明の「定型文」の一例である。
【００４８】
次に、図６を参照して、所定の番組の記録時に行われるＥＭＭ情報記録処理をフローチャートに基づいて説明する。その後、図７を参照して、所定の番組の再生時に行われる自動表示メッセージ表示処理をフローチャートに基づいて説明する。これらの処理は、録画装置１００の制御部２１により行われる。
【００４９】
図６に示すように、まず、ステップＳ１において、ループ録画による所定の番組の記録が開始される。
【００５０】
そして、ステップＳ２において、記録チャンネルの放送信号ＴＳから多重分離部１３により分離されたＣＡＴ情報が取得される。
【００５１】
そして、ステップＳ３において、ＣＡＴ情報にＣＡ＿ＤｅｓｃｒｉｐｔｏｒとＣＡ＿Ｓｅｒｖｉｃｅ＿Ｄｅｓｃｒｉｐｔｏｒとが含まれているか否かが判断される。言い換えると、ステップＳ３では、ＣＡＴ情報にＥＭＭ情報のＰＩＤを特定するための情報と、ＩＣカード１０３に自動表示メッセージに関する問い合わせを行うための情報とが含まれているか否かが判断される。ＣＡＴ情報にＣＡ＿ＤｅｓｃｒｉｐｔｏｒとＣＡ＿Ｓｅｒｖｉｃｅ＿Ｄｅｓｃｒｉｐｔｏｒとが含まれていないと判断された場合には、表示すべき自動表示メッセージがないと考えられるので、ステップＳ２に戻る。ＣＡＴ情報にＣＡ＿ＤｅｓｃｒｉｐｔｏｒとＣＡ＿Ｓｅｒｖｉｃｅ＿Ｄｅｓｃｒｉｐｔｏｒとが含まれていると判断された場合には、ＣＡＴ情報からＣＡ＿ＤｅｓｃｒｉｐｔｏｒとＣＡ＿Ｓｅｒｖｉｃｅ＿Ｄｅｓｃｒｉｐｔｏｒとが取得され、ステップＳ４に進む。
【００５２】
そして、ステップＳ４において、取得されたＣＡＴ情報のＣＡ＿Ｄｅｓｃｒｉｐｔｏｒに基づいて、ＥＭＭ情報のＰＩＤが特定されて、ＥＭＭ情報からＥＭＭ共通メッセージ情報ＤＥＭＭが取得される。
【００５３】
そして、ステップＳ５において、記録チャンネルのチャンネル情報に関連付けて、チャンネル毎にＲＡＭ２０にＥＭＭ共通メッセージ情報ＤＥＭＭ（ＤＥＭＭ１〜ＤＥＭＭＮ）が記録される。なお、既にチャンネル情報に関連付けてＥＭＭ共通メッセージ情報ＤＥＭＭが記録されている場合には、このステップＳ５の処理は、省略してステップＳ６の処理に進むことが可能である。
【００５４】
そして、ステップＳ６において、ＥＭＭ共通メッセージ情報ＤＥＭＭに含まれる複数の（０ｘ０００１〜０ｘＦＦＦＦまでの）共通メッセージのうち、更新された共通メッセージがあるか否かが判断される。具体的には、ステップＳ６では、ｖｅｒｓｉｏｎ＿ｎｕｍｂｅｒに基づいて、０ｘ０００１〜０ｘＦＦＦＦまでの共通メッセージのＭｅｓｓａｇｅ＿ＩＤ毎に、共通メッセージが更新されたか否かが判断される。更新された共通メッセージがないと判断された場合には、ステップＳ７の処理を行うことなく、ステップＳ８に進む。また、更新された共通メッセージがあると判断された場合には、ステップＳ７に進む。
【００５５】
そして、ステップＳ７において、ステップＳ６で更新されたと判断された共通メッセージが更新されて、記録ＴＳが記録された録画用記憶部１８とは別個のＲＡＭ２０に記録される（上書きされる）。つまり、ステップＳ７では、更新された共通メッセージ毎にＥＭＭ共通メッセージ情報ＤＥＭＭが更新される。
【００５６】
そして、ステップＳ８において、ＣＡ＿Ｓｅｒｖｉｃｅ＿Ｄｅｓｃｒｉｐｔｏｒ（表示情報）が記録ＴＳのＳＩＴ情報に含めて記録される。なお、このステップＳ８の処理は、ＥＭＭ共通メッセージ情報ＤＥＭＭの更新の後に限られず、ステップＳ４〜Ｓ７の間のいずれの位置で行われてもよい。そして、ステップＳ８の処理の後、ステップＳ２に戻る。第１実施形態では、このＥＭＭ情報記録処理は、記録チャンネル毎に、ループ録画による所定の番組の記録中（図４に示すように、再生中も含む記録中）常時継続して行われている。
【００５７】
次に、図７を参照して、所定の番組の再生時に行われる自動表示メッセージ表示処理をフローチャートに基づいて説明する。
【００５８】
図７に示すように、まず、ステップＳ１１において、所定の番組の再生が開始される。
【００５９】
そして、ステップＳ１２において、記録ＴＳのＳＩＴ情報にＣＡ＿Ｓｅｒｖｉｃｅ＿Ｄｅｓｃｒｉｐｔｏｒが含まれているか否かが判断される。言い換えると、ステップＳ１２では、記録ＴＳのＳＩＴ情報にＩＣカード１０３に自動表示メッセージに関する問い合わせを行うための情報が含まれているか否かが判断される。記録ＴＳのＳＩＴ情報にＣＡ＿Ｓｅｒｖｉｃｅ＿Ｄｅｓｃｒｉｐｔｏｒが含まれていないと判断された場合には、表示すべき自動表示メッセージがないと考えられるので、ステップＳ１２の処理を繰り返す。記録ＴＳのＳＩＴ情報にＣＡ＿Ｓｅｒｖｉｃｅ＿Ｄｅｓｃｒｉｐｔｏｒが含まれていると判断された場合には、ステップＳ１３に進む。
【００６０】
そして、ステップＳ１３において、記録ＴＳのＳＩＴ情報からＣＡ＿Ｓｅｒｖｉｃｅ＿Ｄｅｓｃｒｉｐｔｏｒ（表示情報）が取得される。つまり、記録ＴＳのＳＩＴ情報にＩＣカード１０３に自動表示メッセージに関する問い合わせを行うための情報が取得される。
【００６１】
そして、ステップＳ１４において、取得されたＣＡ＿Ｓｅｒｖｉｃｅ＿Ｄｅｓｃｒｉｐｔｏｒに基づいて、ＩＣカード１０３に問い合わせを行う。これにより、ＩＣカード１０３からＥＭＭ個別メッセージ情報と、表示すべき共通メッセージのＭｅｓｓａｇｅ＿ＩＤとが取得される。
【００６２】
そして、ステップＳ１５において、取得された表示すべき共通メッセージのＭｅｓｓａｇｅ＿ＩＤに基づいて、対応する（一致する）ＥＭＭ共通メッセージ情報ＤＥＭＭの共通メッセージがＲＡＭ２０から取得される。
【００６３】
そして、ステップＳ１６において、ステップＳ１４で取得されたＥＭＭ個別メッセージ情報と、ステップＳ１５で取得されたＥＭＭ共通メッセージとに基づいて、自動表示メッセージが取得される。つまり、ＥＭＭ個別メッセージ情報とＥＭＭ共通メッセージとを組み合わせることによって、自動表示メッセージが生成される。
【００６４】
そして、ステップＳ１７において、取得された自動表示メッセージが画像合成部１６により所定の番組の映像に合成されて、自動表示メッセージが合成された映像がモニタ１０２に表示される。その後、ステップＳ１２に戻る。
【００６５】
第１実施形態では、以下のような効果を得ることができる。
【００６６】
第１実施形態では、上記のように、チャンネル情報に関連付けて、記録ＴＳとは独立してＥＭＭ情報をＲＡＭ２０に記録するとともに、チャンネル情報に関連付けてＲＡＭ２０に記録されたＥＭＭ情報に基づいて、記録された所定の番組の再生時に自動表示メッセージを表示する制御を行う制御部２１を設ける。これにより、ＥＭＭ情報を記録ＴＳとは独立して記録したとしても、関連付けしたチャンネルを参照してＥＭＭ情報を取得することができるので、記録された所定の番組の再生時にＥＭＭ情報に基づく自動表示メッセージを表示させることができる。その結果、ＥＭＭ情報を記録ＴＳの一部として記録することができない場合にも、記録された所定の番組の再生時に自動表示メッセージを表示させることができる。また、チャンネル情報に関連付けてＥＭＭ情報を記録することによって、ＥＭＭ情報を記録ＴＳの一部として番組と関連付けて記録する場合と異なり、再生中の所定の番組が記録された時点よりも後の時点において所定の番組のチャンネルのＥＭＭ情報を取得することができる。その結果、再生中の所定の番組が記録された時点よりも後の時点において取得されたＥＭＭ情報に基づいて、自動表示メッセージを表示することができるので、現状に合わない自動表示メッセージが表示されるのを抑制することができる。
【００６７】
また、第１実施形態では、上記のように、多重分離部１３により分離されたＥＭＭ情報から、ＥＭＭ共通メッセージ情報ＤＥＭＭを取得し、取得されたＥＭＭ共通メッセージ情報ＤＥＭＭをチャンネル情報に関連付けてＲＡＭ２０に記録する制御を行うように制御部２１を構成する。これにより、ＥＭＭ情報に含まれる情報のうち自動表示メッセージの表示に必要なＥＭＭ共通メッセージ情報ＤＥＭＭを記録するだけでよいので、ＥＭＭ情報に含まれる情報のうち自動表示メッセージの表示に不要な情報を記録する必要がない。その結果、ＲＡＭ２０の容量を節約することができる。
【００６８】
また、第１実施形態では、上記のように、ＥＭＭ共通メッセージ情報ＤＥＭＭは、０ｘ０００１〜０ｘＦＦＦＦまでの複数の共通メッセージを含んでいる。そして、ＥＭＭ共通メッセージ情報ＤＥＭＭに含まれる共通メッセージが更新された場合には、複数の共通メッセージのうち更新された共通メッセージ毎にＥＭＭ共通メッセージ情報ＤＥＭＭを更新する制御を行うように制御部２１を構成する。これにより、複数の共通メッセージの全てを一括して更新する場合と比べて、複数の共通メッセージのうち更新された共通メッセージ毎にＥＭＭ共通メッセージ情報ＤＥＭＭを更新するだけでよいので、制御部２１の処理負荷を軽減することができる。
【００６９】
また、第１実施形態では、上記のように、常時、連続して上書きして録画が行われている記録チャンネルの放送信号ＴＳから、少なくともＥＭＭ情報を分離するように多重分離部１３を構成する。そして、記録チャンネルのＥＭＭ情報を、記録チャンネルのチャンネル情報に関連付けてＲＡＭ２０に記録するとともに、記録されたＥＭＭ情報に基づいて、記録チャンネルの所定の番組の再生時に自動表示メッセージを表示する制御を行うように制御部２１を構成する。これにより、記録チャンネルにおいて、記録された所定の番組の再生時に確実に自動表示メッセージを表示させることができる。
【００７０】
また、第１実施形態では、上記のように、放送信号ＴＳから、ＥＭＭ情報と、ＣＡＴ情報とを含む各情報を分離するように多重分離部１３を構成する。そして、多重分離部１３により分離されたＣＡＴ情報から、ＥＭＭ情報に基づく自動表示メッセージを表示させるためのＣＡ＿Ｓｅｒｖｉｃｅ＿Ｄｅｓｃｒｉｐｔｏｒ（表示情報）を取得し、取得されたＣＡ＿Ｓｅｒｖｉｃｅ＿Ｄｅｓｃｒｉｐｔｏｒを、録画用記憶部１８に記録する制御を行うように制御部２１を構成されている。これにより、ＲＡＭ２０および録画用記憶部１８にそれぞれＥＭＭ情報とＥＭＭ情報に基づく自動表示メッセージを表示させるためのＣＡ＿Ｓｅｒｖｉｃｅ＿Ｄｅｓｃｒｉｐｔｏｒとを記録することができる。その結果、ＲＡＭ２０および録画用記憶部１８に記憶されたＣＡ＿Ｓｅｒｖｉｃｅ＿ＤｅｓｃｒｉｐｔｏｒとＥＭＭ情報とを用いて、記録された所定の番組の再生時に、容易に、ＥＭＭ情報に基づく自動表示メッセージを表示させることができる。
【００７１】
また、第１実施形態では、上記のように、取得されたＣＡ＿Ｓｅｒｖｉｃｅ＿Ｄｅｓｃｒｉｐｔｏｒ（表示情報）を、記録ＴＳのＳＩＴ情報に含めて録画用記憶部１８に記録する制御を行うように制御部２１を構成する。これにより、記載可能な情報の自由度が比較的高いＳＩＴ情報に含めてＣＡ＿Ｓｅｒｖｉｃｅ＿Ｄｅｓｃｒｉｐｔｏｒを容易に記録することができる。
【００７２】
（第２実施形態）
次に、図１、図７および図８を参照して、第２実施形態について説明する。この第２実施形態では、デジタルテレビ放送録画装置２００ａ（２００ｂ）において記録された記録ＴＳを、ネットワーク２０４を介して接続されたデジタルテレビ放送録画装置２００ｂ（２００ａ）において再生する例について説明する。
【００７３】
本発明の第２実施形態によるデジタルテレビ放送録画装置（以下、録画装置という）２００ａおよび２００ｂは、図８に示すように、図１の制御部２１の代わりに、それぞれ制御部１２１ａおよび１２１ｂを備える点で、図１の録画装置１００とは相違する。また、録画装置２００ａおよび２００ｂは、それぞれ通信部１２２ａおよび１２２ｂをさらに備える点で、図１の録画装置１００とは相違する。
【００７４】
なお、録画装置２００ａ（２００ｂ）における受信部１１ａ（１１ｂ）と、復調部１２ａ（１２ｂ）と、多重分離部１３ａ（１３ｂ）と、音声デコーダ部１４ａ（１４ｂ）と、映像デコーダ部１５ａ（１５ｂ）と、画像合成部１６ａ（１６ｂ）と、再構築部１７ａ（１７ｂ）と、録画用記憶部１８ａ（１８ｂ）と、ＲＯＭ１９ａ（１９ｂ）と、ＲＡＭ２０ａ（２０ｂ）との構成は、それぞれ、図１の録画装置１００における受信部１１と、復調部１２と、多重分離部１３と、音声デコーダ部１４と、映像デコーダ部１５と、画像合成部１６と、再構築部１７と、録画用記憶部１８と、ＲＯＭ１９と、ＲＡＭ２０との構成と同一であるので、説明は省略する。また、録画装置２００ａ（２００ｂ）におけるスピーカ１０１ａ（１０１ｂ）と、モニタ１０２ａ（１０２ｂ）と、ＩＣカード１０３ａ（１０３ｂ）との構成は、それぞれ、図１の録画装置１００におけるスピーカ１０１と、モニタ１０２と、ＩＣカード１０３との構成と同一であるので、説明は省略する。
【００７５】
通信部１２２ａおよび１２２ｂは、ネットワーク２０４を介して他の録画装置（２００ａに対する２００ｂまたは２００ｂに対する２００ａ）と通信するように構成されている。ネットワーク２０４としては、たとえば、家庭内に構築されるホームネットワークや、インターネットなどを用いることが可能である。
【００７６】
第２実施形態では、録画装置２００ａおよび２００ｂは、ネットワーク２０４を介して、各々の録画用記憶部１８ａおよび１８ｂに記録された記録ＴＳの送受信を通信部１２２ａおよび１２２ｂにより行うことが可能に構成されている。つまり、第２実施形態では、録画装置２００ａおよび２００ｂは、録画装置２００ａ（２００ｂ）においてループ録画により記録された所定の番組を、ネットワーク２０４を介して接続された録画装置２００ｂ（２００ａ）において再生することが可能に構成されている。以下、録画装置２００ａにおいてループ録画により記録された所定の番組を、ネットワーク２０４を介して接続された録画装置２００ｂにおいて再生する場合を例に説明する。
【００７７】
この場合、録画装置２００ｂの制御部１２１ｂは、ネットワーク２０４を介して、録画装置２００ａの録画用記憶部１８ａに記録された記録ＴＳを取得するように構成されている。
【００７８】
また、ＥＭＭ共通メッセージ情報ＤＥＭＭについては、まず、制御部１２１ｂは、取得された記録ＴＳのチャンネルに対応するＥＭＭ共通メッセージ情報ＤＥＭＭが自機（録画装置２００ｂ）のＲＡＭ２０ｂに記録されているか否かを判断するように構成されている。そして、制御部１２１ｂは、自機（録画装置２００ｂ）のＲＡＭ２０ｂに対応するＥＭＭ共通メッセージ情報ＤＥＭＭが記録されていないと判断された場合には、録画装置２００ａのＲＡＭ２０ａに記録された対応するＥＭＭ共通メッセージ情報ＤＥＭＭを取得するように構成されている。
【００７９】
一方、制御部１２１ｂは、自機（録画装置２００ｂ）のＲＡＭ２０ｂに対応するＥＭＭ共通メッセージ情報ＤＥＭＭが記録されていると判断された場合には、録画装置２００ａのＲＡＭ２０ａに記録された対応するＥＭＭ共通メッセージ情報ＤＥＭＭを取得することなく、自機（録画装置２００ｂ）のＲＡＭ２０ｂに記録された対応するＥＭＭ共通メッセージ情報ＤＥＭＭを取得するように構成されている。これにより、ＥＭＭ共通メッセージ情報ＤＥＭＭをネットワーク２０４を介して取得する必要がない。その結果、一の録画装置２００ａにおいて記録された所定の番組を、他の録画装置２００ｂにおいて再生する場合に、一の録画装置２００ａとの通信量が増加するのを抑制することが可能である。
【００８０】
この場合にも、制御部１２１ｂは、録画装置２００ａの記録ＴＳのＳＩＴ情報に含まれるＣＡ＿Ｓｅｒｖｉｃｅ＿Ｄｅｓｃｒｉｐｔｏｒ（表示情報）と、自機（録画装置２００ｂ）のＥＭＭ共通メッセージ情報ＤＥＭＭとを用いて、図７に示す自動表示メッセージ表示処理を行い、所定の番組の再生時に自動表示メッセージを表示することが可能である。なお、以上の説明は、録画装置２００ｂを録画装置２００ａとして、制御部１２１ｂを制御部１２１ａとするように、各符号のａとｂとを読み替えれば、録画装置２００ａについても同様である。
【００８１】
なお、第２実施形態のその他の構成は、上記第１実施形態と同様である。
【００８２】
第２実施形態では、以下のような効果を得ることができる。
【００８３】
第２実施形態では、上記のように、一の録画装置２００ａ（２００ｂ）において記録された所定の番組を、他の録画装置２００ｂ（２００ａ）において再生する場合に、チャンネル情報に関連付けて自機（録画装置２００ａまたは２００ｂ）のＲＡＭ２０ｂ（２０ａ）に記録されたＥＭＭ情報に基づいて、記録された所定の番組の再生時に自動表示メッセージを表示する制御を行う制御部１２１ｂ（１２１ａ）を設ける。これにより、この第２実施形態においても上記第１実施形態と同様に、ＥＭＭ情報を記録ＴＳの一部として記録することができない場合にも、記録された所定の番組の再生時に自動表示メッセージを表示させることができる。さらに、第２実施形態では、一の録画装置２００ａ（２００ｂ）において記録された所定の番組を、他の録画装置２００ｂ（２００ａ）において再生する場合に、一の録画装置２００ａ（２００ｂ）との通信量が増加するのを抑制することができる。
【００８４】
なお、第２実施形態のその他の効果は、上記第１実施形態と同様である。
【００８５】
（第３実施形態）
次に、図１、図９および図１０を参照して、第３実施形態について説明する。この第３実施形態では、記録チャンネルのＥＭＭ共通メッセージ情報ＤＥＭＭを、記録チャンネルの記録チャンネル情報に関連付けてチャンネル毎にＲＡＭ２０に記録した上記第１実施形態とは異なり、ループ録画が行われているか否かに関わらずＥＭＭ共通メッセージ情報ＤＥＭＭを、チャンネル情報に関連付けてチャンネル毎にＲＡＭ２０に記録する例について説明する。なお、上記第１実施形態と同一の構成については、同じ符号を付してその説明を省略する。
【００８６】
本発明の第３実施形態によるデジタルテレビ放送録画装置（以下、録画装置という）３００は、図１に示すように、制御部２２１を備える点で、図１の録画装置１００とは相違する。
【００８７】
第３実施形態では、制御部２２１は、ループ録画が行われているか否かに関わらず、録画装置３００において受信可能な全てのチャンネルのＥＭＭ共通メッセージ情報ＤＥＭＭを、チャンネル情報に関連付けてチャンネル毎にＲＡＭ２０に記録する制御を行うように構成されている。また、第３実施形態では、録画装置３００の受信部１１は、録画装置３００において受信可能な全てのチャンネルの数に対応する複数のチューナを含んでいる。これにより、第３実施形態では、全てのチャンネルのＥＭＭ共通メッセージ情報ＤＥＭＭがＲＡＭ２０に記録することができるので、ループ録画以外の録画（手動録画や予約録画）により記録された番組の再生時にも、自動表示メッセージを表示することが可能である。
【００８８】
次に、図９を参照して、第３実施形態の録画装置３００におけるＥＭＭ情報記録処理についてフローチャートに基づいて説明する。第３実施形態では、ＥＭＭ情報記録処理は、ループ録画による所定の番組の記録時に限らず、常時、全てのチャンネルについて行われる。また、図１０を参照して、第３実施形態の録画装置３００におけるＣＡＴ情報記録処理についてフローチャートに基づいて説明する。これらの処理は、録画装置３００の制御部２２１により行われる。
【００８９】
図９に示すように、まず、ステップＳ２１において、ループ録画が行われているか否かに関わらず全てのチャンネルの放送信号ＴＳから多重分離部１３により分離されたＣＡＴ情報が取得される。
【００９０】
そして、ステップＳ２２において、ＣＡＴ情報にＣＡ＿Ｄｅｓｃｒｉｐｔｏｒが含まれているか否かが判断される。言い換えると、ステップＳ２２では、ＣＡＴ情報にＥＭＭ情報のＰＩＤを特定するための情報が含まれているか否かが判断される。ＣＡＴ情報にＣＡ＿Ｄｅｓｃｒｉｐｔｏｒが含まれていないと判断された場合には、表示すべき自動表示メッセージがないと考えられるので、ステップＳ２１に戻る。ＣＡＴ情報にＣＡ＿Ｄｅｓｃｒｉｐｔｏｒが含まれていると判断された場合には、ＣＡＴ情報からＣＡ＿Ｄｅｓｃｒｉｐｔｏｒが取得され、ステップＳ２３に進む。
【００９１】
そして、ステップＳ２３において、取得されたＣＡＴ情報のＣＡ＿Ｄｅｓｃｒｉｐｔｏｒに基づいて、ＥＭＭ情報のＰＩＤが特定されて、ＥＭＭ情報からＥＭＭ共通メッセージ情報ＤＥＭＭが取得される。
【００９２】
そして、ステップＳ２４において、チャンネル情報に関連付けて、チャンネル毎にＲＡＭ２０にＥＭＭ共通メッセージ情報ＤＥＭＭが記録される。つまり、全てのチャンネルのＥＭＭ共通メッセージ情報ＤＥＭＭが記録される。なお、既にチャンネル情報に関連付けてＥＭＭ共通メッセージ情報ＤＥＭＭが記録されている場合には、このステップＳ２４の処理は、省略してステップＳ２５の処理に進むことが可能である。
【００９３】
そして、ステップＳ２５において、ＥＭＭ共通メッセージ情報ＤＥＭＭに含まれる複数の（０ｘ０００１〜０ｘＦＦＦＦまでの）共通メッセージのうち、更新された共通メッセージがあるか否かが判断される。具体的には、ステップＳ２５では、０ｘ０００１〜０ｘＦＦＦＦまでの共通メッセージのＭｅｓｓａｇｅ＿ＩＤ毎に、ｖｅｒｓｉｏｎ＿ｎｕｍｂｅｒに基づいて、各Ｍｅｓｓａｇｅ＿ＩＤの共通メッセージが更新されたか否かが判断される。更新された共通メッセージがないと判断された場合には、ステップＳ２６の処理を行うことなく、ステップＳ２１に戻る。また、更新された共通メッセージがあると判断された場合には、ステップＳ２６に進む。
【００９４】
そして、ステップＳ２６において、ステップＳ２５で更新されたと判断された共通メッセージが更新されてＲＡＭ２０に記録される（上書きされる）。つまり、ステップＳ２６では、更新された共通メッセージ毎にＥＭＭ共通メッセージ情報ＤＥＭＭが更新される。
【００９５】
なお、ＣＡ＿Ｓｅｒｖｉｃｅ＿Ｄｅｓｃｒｉｐｔｏｒ（表示情報）は、記録ＴＳのＳＩＴ情報に含めて記録されるため、第３実施形態では、ＥＭＭ情報記録処理において、ＣＡ＿Ｓｅｒｖｉｃｅ＿Ｄｅｓｃｒｉｐｔｏｒを記録ＴＳのＳＩＴ情報に含めて記録する処理は行われない。第３実施形態では、所定の番組の記録時に行われるＣＡＴ情報記録処理において、ＣＡ＿Ｓｅｒｖｉｃｅ＿Ｄｅｓｃｒｉｐｔｏｒを記録ＴＳのＳＩＴ情報に含めて記録する処理が行われる。
【００９６】
図１０に示すように、まず、ステップＳ３１において、所定の番組の記録が開始される。
【００９７】
そして、ステップＳ３２において、録画が行われているチャンネルの放送信号ＴＳから多重分離部１３により分離されたＣＡＴ情報が取得される。
【００９８】
そして、ステップＳ３３において、ＣＡＴ情報にＣＡ＿Ｓｅｒｖｉｃｅ＿Ｄｅｓｃｒｉｐｔｏｒが含まれているか否かが判断される。ＣＡＴ情報にＣＡ＿Ｓｅｒｖｉｃｅ＿Ｄｅｓｃｒｉｐｔｏｒが含まれていないと判断された場合には、表示すべき自動表示メッセージがないと考えられるので、ステップＳ３２に戻る。ＣＡＴ情報にＣＡ＿Ｓｅｒｖｉｃｅ＿Ｄｅｓｃｒｉｐｔｏｒが含まれていると判断された場合には、ＣＡＴ情報からＣＡ＿Ｓｅｒｖｉｃｅ＿Ｄｅｓｃｒｉｐｔｏｒが取得され、ステップＳ３４に進む。
【００９９】
そして、ステップＳ３４において、ＣＡ＿Ｓｅｒｖｉｃｅ＿Ｄｅｓｃｒｉｐｔｏｒ（表示情報）が記録ＴＳのＳＩＴ情報に含めて記録される。その後、ステップＳ３２に戻る。
【０１００】
なお、第３実施形態のその他の構成は、上記第１実施形態と同様である。
【０１０１】
第３実施形態では、以下のような効果を得ることができる。
【０１０２】
第３実施形態では、上記のように、チャンネル情報に関連付けて、記録ＴＳとは独立してＥＭＭ情報をＲＡＭ２０に記録するとともに、チャンネル情報に関連付けてＲＡＭ２０に記録されたＥＭＭ情報に基づいて、記録された所定の番組の再生時に自動表示メッセージを表示する制御を行う制御部２２１を設ける。これにより、この第３実施形態においても上記第１実施形態と同様に、ＥＭＭ情報を記録ＴＳの一部として記録することができない場合にも、記録された所定の番組の再生時に自動表示メッセージを表示させることができる。
【０１０３】
また、第３実施形態では、録画装置３００において受信可能な全てのチャンネルのＥＭＭ共通メッセージ情報ＤＥＭＭを、チャンネル情報に関連付けてチャンネル毎にＲＡＭ２０に記録する制御を行うように制御部２２１を構成する。これにより、いずれのチャンネルの番組が記録されたとしても、ＲＡＭ２０に記録されたＥＭＭ共通メッセージ情報ＤＥＭＭを用いて、自動表示メッセージを表示することができる。その結果、記録された所定の番組の再生時に、確実に、自動表示メッセージを表示することができる。
【０１０４】
なお、第３実施形態のその他の効果は、上記第１実施形態と同様である。
【０１０５】
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更（変形例）が含まれる。
【０１０６】
たとえば、上記第１〜第３実施形態では、ＣＡＴ情報のＣＡ＿Ｓｅｒｖｉｃｅ＿Ｄｅｓｃｒｉｐｔｏｒを記録ＴＳのＳＩＴ情報に含めて記録した例を示したが、本発明はこれに限られない。本発明では、ＣＡＴ情報のＣＡ＿Ｓｅｒｖｉｃｅ＿Ｄｅｓｃｒｉｐｔｏｒを記録ＴＳのＳＩＴ情報に含めることなく記録してもよい。たとえば、ＣＡＴ情報のＣＡ＿Ｓｅｒｖｉｃｅ＿Ｄｅｓｃｒｉｐｔｏｒを記録ＴＳのＰＭＴ情報に含めて記録してもよいし、ＣＡＴ情報のＣＡ＿Ｓｅｒｖｉｃｅ＿Ｄｅｓｃｒｉｐｔｏｒを記録ＴＳに単独で記録してもよい。
【０１０７】
また、上記第１〜第３実施形態では、ＣＡＴ情報のＣＡ＿Ｓｅｒｖｉｃｅ＿Ｄｅｓｃｒｉｐｔｏｒを記録ＴＳに含めて記録した例を示したが、本発明はこれに限られない。本発明では、ＣＡＴ情報のＣＡ＿Ｓｅｒｖｉｃｅ＿Ｄｅｓｃｒｉｐｔｏｒを記録ＴＳに含めることなく記録してもよい。たとえば、ＥＭＭ情報と同様に、記録ＴＳとは独立してＣＡＴ情報のＣＡ＿Ｓｅｒｖｉｃｅ＿Ｄｅｓｃｒｉｐｔｏｒを記録してもよいし、ＥＭＭ情報とまとめて記録してもよい。この場合、ＣＡＴ情報のＣＡ＿Ｓｅｒｖｉｃｅ＿Ｄｅｓｃｒｉｐｔｏｒについても、チャンネル情報に関連付けて、チャンネル毎に記録されるのが好ましい。
【０１０８】
また、上記第３実施形態では、ループ録画が行われているか否かに関わらず全てのチャンネルのＥＭＭ共通メッセージ情報ＤＥＭＭを、チャンネル情報に関連付けてチャンネル毎にＲＡＭ２０に記録した例を示したが、本発明はこれに限られない。本発明では、ループ録画が行われているか否かに関わらず全てのチャンネルのＥＭＭ共通メッセージ情報を、チャンネル情報に関連付けてチャンネル毎にＲＡＭに記録しなくともよい。たとえば、ループ録画が行われているか否かに関わらず、デジタルテレビ放送録画装置により受信可能な全てのチャンネルのうち、所定のチャンネルのＥＭＭ共通メッセージ情報を、所定のチャンネルのチャンネル情報に関連付けてチャンネル毎にＲＡＭに記録してもよい。この場合、ＥＭＭ共通メッセージ情報を記録しておく必要性の高い記録チャンネルを、優先的に所定のチャンネルとすることが好ましい。
【０１０９】
また、上記第１〜第３実施形態では、ＥＭＭ情報から、ＥＭＭ共通メッセージ情報ＤＥＭＭを取得して、ＥＭＭ共通メッセージ情報ＤＥＭＭをチャンネル情報に関連付けてチャンネル毎にＲＡＭ２０に記録した例を示したが、本発明はこれに限られない。本発明では、ＥＭＭ情報をそのままチャンネル情報に関連付けてチャンネル毎にＲＡＭ２０に記録してもよい。
【０１１０】
また、上記第１〜第３実施形態では、ＥＭＭ共通メッセージ情報ＤＥＭＭに含まれる共通メッセージが更新された場合には、ＥＭＭ共通メッセージ情報ＤＥＭＭに含まれる複数の共通メッセージのうち更新された共通メッセージ毎にＥＭＭ共通メッセージ情報ＤＥＭＭを更新した例を示したが、本発明はこれに限られない。本発明では、ＥＭＭ共通メッセージ情報に含まれる共通メッセージが更新された場合には、複数の共通メッセージの全てを一括して更新してもよい。
【０１１１】
また、上記第１〜第３実施形態では、ＥＭＭ共通メッセージ情報ＤＥＭＭをＲＡＭ２０に記録し、記録ＴＳを録画用記憶部１８に記録することにより、ＥＭＭ共通メッセージ情報ＤＥＭＭと記録ＴＳとを独立して記録した例を示したが、本発明はこれに限られない。本発明では、録画用記憶部の異なる記憶領域にＥＭＭ共通メッセージ情報と記録ＴＳとを記録することにより、ＥＭＭ共通メッセージ情報と記録ＴＳとを独立して記録してもよい。
【０１１２】
また、上記第２実施形態では、録画装置２００ａと録画装置２００ｂとの２つの録画装置がネットワーク２０４を介して接続された例を示したが、本発明はこれに限られない。本発明では、３つ以上の録画装置がネットワークを介して接続されてもよい。
【０１１３】
また、上記第１および第３実施形態では、説明の便宜上、制御部２１（２２１）の処理を処理フローに沿って順番に処理を行うフロー駆動型のフローチャートを用いて説明したが、本発明はこれに限られない。本発明では、制御部２１（２２１）の処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１１４】
１１、１１ａ、１１ｂ  受信部
１３、１３ａ、１３ｂ  多重分離部
１８、１８ａ、１８ｂ  録画用記憶部（記憶部）
２０、２０ａ、２０ｂ  ＲＡＭ（記憶部）
２１、１２１ａ、１２１ｂ、２２１  制御部
１００、２００ａ、２００ｂ、３００  デジタルテレビ放送録画装置
ＤＥＭＭ  ＥＭＭ共通メッセージ情報（メッセージ情報）
【図１】
0006372316.tif 000002
【図２】
0006372316.tif 000003
【図３】
0006372316.tif 000004
【図４】
0006372316.tif 000005
【図５】
0006372316.tif 000006
【図６】
0006372316.tif 000007
【図７】
0006372316.tif 000008
【図８】
0006372316.tif 000009
【図９】
0006372316.tif 000010
【図１０】
0006372316.tif 000011